(57)【要約】【課題】  立体映像信号の発生方法、及びそれに適したスケーリング方法を提供する。【解決手段】立体映像のための左眼映像信号及び右眼映像信号を入力する過程と、左眼映像信号及び右眼映像信号を多重化して順次走査方式の立体映像信号を発生させる過程と、順次走査方式の立体映像信号をスケーリングアップあるいはダウンする過程とを含む立体映像信号の発生方法である。これにより、簡単な構成で順次走査方式の立体映像信号を発生可能にすることによって、立体映像信号の発生装置のコストを低減できる。【選択図】      図５
2006067596.tif 000002
【特許請求の範囲】
【請求項１】
立体映像のための左眼映像信号及び右眼映像信号を入力する過程と、
左眼映像信号及び右眼映像信号を多重化して順次走査方式の立体映像信号を発生させる過程と、
前記発生した順次走査方式の立体映像信号をスケーリングアップあるいはダウンを行う過程とを含むことを特徴とする立体映像信号の発生方法。
【請求項２】
前記順次走査方式の立体映像信号を発生させる過程は、
左眼映像信号の走査線と右眼映像信号の走査線とが交互に配置されるように、前記左眼映像信号と前記右眼映像信号とを多重化することを特徴とする請求項１に記載の立体映像信号の発生方法。
【請求項３】
前記発生した順次走査方式の映像信号をスケーリングアップあるいはダウンする過程は、
前記左眼映像信号の連続的な走査線間で補間し、そして前記右眼映像信号の連続的な走査線間で補間して交互に配置される前記左眼映像信号と右眼映像信号との中間走査線を発生させることを特徴とする請求項２に記載の立体映像信号の発生方法。
【請求項４】
前記順次走査方式の立体映像信号を発生させる過程は、
前記左眼映像信号の画素と前記右眼映像信号の画素とが交互に配置されるように、前記左眼映像信号と前記右眼映像信号とを多重化することを特徴とする請求項１に記載の立体映像信号の発生方法。
【請求項５】
前記発生した順次走査方式の映像信号をスケーリングアップあるいはダウンする過程は、
前記左眼映像信号の連続的な画素間で補間し、そして前記右眼映像信号の連続的な画素間で補間して交互に配置される前記左眼映像信号と右眼映像信号との中間画素を発生させることを特徴とする請求項４に記載の立体映像信号の発生方法。
【請求項６】
前記発生した順次走査方式の映像信号をスケーリングアップあるいはダウンする過程は、
発生した順次走査方式の立体映像信号がスケールされるように、発生した順次走査方式の立体映像信号の走査線をバッファリングして、バッファリングされた走査線の偶数番目のライン間の最初の新たな走査線を補間し、バッファリングされた走査線の奇数番目のライン間の二番目の新たな走査線を補間することを特徴とする請求項１に記載の立体映像信号の発生方法。
【請求項７】
前記最初の新たな走査線と偶数番目の走査線とを新たな左眼映像信号に、そして二番目の新たな走査線と奇数番目の走査線とを新たな右眼映像信号にディスプレイする過程をさらに含むことを特徴とする請求項６に記載の立体映像信号の発生方法。
【請求項８】
前記最初の新たな走査線は、連続的な偶数番目の走査線間に挿入され、そして前記二番目の新たな走査線は、連続的な奇数番目の走査線間に挿入されることを特徴とする請求項６に記載の立体映像信号の発生方法。
【請求項９】
前記走査線は、走査線内の一つ及び前記走査線内の画素を備えることを特徴とする請求項６に記載の立体映像信号の発生方法。
【請求項１０】
前記発生した順次走査方式の立体映像信号の前記スケールアップあるいはダウンは、
前記発生した順次走査方式の映像信号の垂直的なスケーリング及び水平的なスケーリングを含むことを特徴とする請求項１に記載の立体映像信号の発生方法。
【請求項１１】
左眼映像と右眼映像とが多重化された順次走査方式の立体映像信号を入力する過程と、
左眼映像信号の走査線を利用して、左眼映像信号に相応する最初の補間走査線を補間し、最初の補間走査線を左眼映像信号の間に挿入し、右眼映像信号の走査線を利用して、右眼映像信号に相応する二番目の補間走査線を補間し、二番目の補間走査線を右眼映像信号の間に挿入し、そして結果として生成された左眼映像信号と結果として生成された右眼映像信号とを多重化することにより受信された順次走査方式の映像信号をスケーリングする過程とを含むことを特徴とする立体映像信号のスケーリング方法。
【請求項１２】
結果として生成された左眼映像信号と結果として生成された右眼映像信号とを多重化する過程は、
結果として生成された左眼映像信号と右眼映像信号とを、結果として生成された左眼映像信号の走査線と結果として生成された右眼映像信号の走査線とが交互に配置されるように多重化する過程を含むことを特徴とする請求項１１に記載の立体映像信号のスケーリング方法。
【請求項１３】
結果として生成された左眼映像信号と結果として生成された右眼映像信号とを多重化する過程は、
結果として生成された左眼映像信号と右眼映像信号とを、結果として生成された左眼映像信号の画素と結果として生成された右眼映像信号の画素とが交互に配置されるように多重化する過程を含むことを特徴とする請求項１１に記載の立体映像信号のスケーリング方法。
【請求項１４】
受信された立体映像信号をスケーリングする過程は、
補間過程及び多重化過程を通じて、順次走査方式の立体映像信号の走査線のｎ個を順次に入力して更新する過程と、
補間過程及び多重化過程を通じて、順次走査方式の立体映像信号の他の走査線を順次に入力して更新する過程とを含み、
ここで、ｎは、順次走査方式の立体映像信号の走査線の総個数より小さい整数であることを特徴とする請求項１１に記載の立体映像信号のスケーリング方法。
【請求項１５】
第１映像信号と第２映像信号とを、結合された映像信号を形成するように多重化する過程と、
前記結合された信号の解像度を調整する過程とを含むことを特徴とする立体映像信号の発生方法。
【請求項１６】
前記第１映像信号と前記第２映像信号とを多重化する過程は、
前記第１及び第２映像信号が、前記第１映像信号が結合された映像信号の奇数番目の走査線を形成し、前記第２映像信号が結合された映像信号の偶数番目の走査線を形成するように結合する過程を含むことを特徴とする請求項１５に記載の立体映像信号の発生方法。
【請求項１７】
前記結合された映像信号の解像度を調整する過程は、
前記結合された信号の連続的な奇数番目の走査線間で補間して、前記連続的な奇数番目の走査線間の少なくとも一つの中間の奇数番目の走査線を発生させる過程と、
前記結合された信号の連続的な偶数番目の走査線間で補間して、前記連続的な偶数番目の走査線間の少なくとも一つの中間の偶数番目の走査線を発生させる過程とを含むことを特徴とする請求項１６に記載の立体映像信号の発生方法。
【請求項１８】
前記第１映像信号と前記第２映像信号とを多重化する過程は、
前記第１及び第２映像信号が、前記第１映像信号が前記結合された映像信号の奇数番目の画素を構成し、そして前記第２映像信号が前記結合された映像信号の偶数番目の画素を構成するように結合する過程を含むことを特徴とする請求項１５に記載の立体映像信号の発生方法。
【請求項１９】
前記結合された映像信号の解像度を調整する過程は、
前記結合された信号の連続的な奇数番目の画素間で補間して、前記連続的な奇数番目の画素間の少なくとも一つの中間の奇数番目の画素を発生させる過程と、
前記結合された信号の連続的な偶数番目の画素間で補間して、前記連続的な偶数番目の画素間の少なくとも一つの中間の偶数番目の画素を発生させる過程とを含むことを特徴とする請求項１８に記載の立体映像信号の発生方法。
【請求項２０】
前記結合された信号の解像度を調整する過程は、
結合された信号の走査線の個数及び結合された信号のピクセルの個数を少なくとも一つ増加させる過程を含むことを特徴とする請求項１５に記載の立体映像信号の発生方法。
【請求項２１】
前記第１及び第２映像信号は、左眼及び右眼によりそれぞれ見られる映像信号を備えることを特徴とする請求項１５に記載の立体映像信号の発生方法。
【請求項２２】
左眼映像信号と右眼映像信号とを順次走査方式の立体映像信号に多重化する多重化器と、
前記多重化器内で多重化された前記順次走査方式の立体映像信号をスケーリングするスケーラとを備えることを特徴とする立体映像信号の発生装置。
【請求項２３】
前記順次走査方式の立体映像信号は、
前記左眼映像信号に相応する複数の第１走査線と、
前記右眼映像信号に相応し、前記第１走査線に対して交互に配置された複数の第２走査線とを備えることを特徴とする請求項２２に記載の立体映像信号の発生装置。
【請求項２４】
前記順次走査方式の立体映像信号は、
前記左眼映像信号に相応する複数の第１画素と、
前記右眼映像信号に相応し、前記第１画素に対して交互に配置された複数の第２画素とを備えることを特徴とする請求項２２に記載の立体映像信号の発生装置。
【請求項２５】
前記順次走査方式の立体映像信号は、複数の走査線を備え、
前記スケーラは、連続的な奇数番目の走査線間で補間して、前記連続的な偶数番目の走査線間の中間的な奇数番目の走査線を発生させ、連続的な偶数番目の走査線間で補間して、前記連続的な偶数番目の走査線間の中間的な奇数番目の走査線を発生させるライン補間器を備えることを特徴とする請求項２２に記載の立体映像信号の発生装置。
【請求項２６】
前記スケーラは、
前記結合された映像信号から奇数番目の走査線及び偶数番目の走査線を発生させる複数のラインバッファと、
連続的な偶数番目の走査線間の最初の補間走査線を発生させ、連続的な奇数番目の走査線間の二番目の補間走査線を発生させる補間器とを備えることを特徴とする請求項２２に記載の立体映像信号の発生装置。
【発明の詳細な説明】
【技術分野】
【０００１】
本発明は、立体映像に係り、特に、順次走査方式の立体映像信号を発生させる方法及びそれに適したスケーリング方法に関する。
【背景技術】
【０００２】
一般的に立体映像は、人間の目によるステレオ視覚によりなされるが、二つの目が約６５ｍｍ程度互いに離れて存在するため現れる両眼視差が立体感を感じさせる最も重要な要因である。
【０００３】
立体映像ディスプレイには、眼鏡を利用したディスプレイと無眼鏡方式のディスプレイとがあり、無眼鏡方式のディスプレイは、眼鏡を使用せずに左右映像を分離して立体映像を得るものである。
【０００４】
眼鏡方式の立体映像ディスプレイでは、直視型のディスプレイやプロジェクタに左右視差映像を、偏光方向を変えて、または時分割方式で表示し、偏光眼鏡または液晶シャッタ眼鏡を使用して立体映像を見る。
【０００５】
無眼鏡方式には、パララックスバリア方式、レンチキュラー方式、偏光多重化方式などがある。
【０００６】
パララックスバリア方式の立体映像ディスプレイは、左右両眼がそれぞれ見ねばならない画像を画素単位で横方向に交互に配置してディスプレイし、それをきわめて細い縦格子列、すなわちバリアを利用して見るものである。すなわち、ディスプレイされた画像がバリアにより分離されて、左眼と右眼でそれぞれ見られることによって、立体映像に見られるものである。
【０００７】
偏光多重化方式の立体映像ディスプレイは、左眼映像信号と右眼映像信号とが走査線単位で交互に配置された順次走査方式の立体映像信号をディスプレイし、順次走査方式の立体映像信号を、走査線単位で交互に配置されて相異なる偏光特性を有する二つの偏光フィルタを通じて偏光させて、奇数番目の走査線を左眼で、偶数番目の走査線を右眼で視聴させるものである。このような偏光多重化方式の立体映像ディスプレイ装置は、特許文献１、２、３に開示されている。
【０００８】
図１は、従来の偏光多重化方式のディスプレイ装置の構成を示す図である。図１に示した立体映像表示装置は、順次走査方式の立体映像信号をディスプレイするディスプレイパネル１０２、及び複数の第１偏光ライン１１２と複数の第２偏光ライン１１４とから構成される偏光フィルム部１０４を備える。偏光フィルム部１０４には、第１偏光特性を有する第１偏光ライン１１２と第２偏光特性を有する第２偏光ライン１１４とが、垂直走査方向に交互に配置されている。
【０００９】
第１偏光ライン１１２と第２偏光ライン１１４は、相異なる偏光特性を有する。第１偏光ライン１１２は、左眼映像を提供するために設けられ、第２偏光ライン１１４は、右眼映像を提供するために設けられる。
【００１０】
図１に示した装置は、順次走査方式の立体映像信号をディスプレイし、ディスプレイされた映像信号を、第１偏光ライン１１２及び第２偏光ライン１１４を通じて偏光させて、順次走査方式の映像信号の奇数番目の走査線を左眼で、偶数番目の走査線を右眼で視聴させる。
【００１１】
図２は、図１に示した従来の立体映像ディスプレイ装置を通じてディスプレイされる順次走査方式の立体映像信号の構成を示す図である。
【００１２】
図２に示したＮ１ｘＮ２サイズの順次走査方式の立体映像信号において、奇数番目の走査線は、左眼映像の走査線であり、偶数番目の走査線は、右眼映像の走査線である。ここで、左眼映像及び右眼映像は、立体撮影方式により二つの目間の距離ほど離れた左眼映像用のカメラ及び右眼映像用のカメラによりそれぞれ作成された映像である。
【００１３】
図３は、図２に示した順次走査方式の立体映像信号を発生させる装置の構成を示す図である。
【００１４】
図３に示した立体映像信号の発生装置は、左眼映像を流入してアップ／ダウンスケーリングを行う第１スケーラ３０２、右眼映像を流入してアップ／ダウンスケーリングを行う第２スケーラ３０４、及びスケーラ３０２、３０４を通じてアップ／ダウンスケーリングされた映像信号を多重化して、図２に示したような順次走査方式の立体映像信号を発生させる多重化器３１６を備える。
【００１５】
３次元のステレオ放送は、左眼映像及び右眼映像をそれぞれ奇数フィールド及び偶数フィールドとするインターレーシング方式の立体映像信号を伝送する。標準化されたデジタルＴＶの解像度は、７２０ｘ４０８ｉ／ｐ、１９２０ｘ１０８０ｉに固定されている。ここで、ｉはインターレース、すなわちインターレーシング方式の映像信号を表し、ｐはプログレッシブ、すなわち順次走査方式の映像信号を表す。
【００１６】
一方、ディスプレイ装置は、一般的に順次走査方式で構成されており、多様な解像度で表示できるため、立体放送とディスプレイ装置とをマッチングさせるためには、インターレーシング方式の立体映像信号を順次走査方式の立体映像信号に変換する順次走査変換及びスケーリングが必要になる。
【００１７】
図３に示した装置において、スケーリングは、第１スケーラ及び第２スケーラ３０２、３０４により行われる。それぞれのスケーラ３０２、３０４は、それに入力される映像信号をディスプレイ装置のディスプレイ解像度に合せてスケーリングする。スケーリング方法としては、空間的に隣接した走査線間の相関性を利用して、バイリニア補間、コンボリューション補間により垂直方向の走査線をスケールアップする。
【００１８】
インターレーシングは、多重化器３１６により行われる。
【００１９】
図４は、図３に示した多重化器３１６の動作を図式的に示す図である。図４に示すように、多重化器３１６が左眼映像４０２と右眼映像４０４の走査線が交互になるように多重化することにより、図２に示したような順次走査方式の立体映像信号が得られる。
【００２０】
図３に示した装置は、左眼映像４０２及び右眼映像４０４をそれぞれスケーリングする二つのスケーラ３０２、３０４を備える。一般的にスケーラ３０２、３０４は、映像信号を保存するメモリ、メモリに保存された映像信号を走査線単位で読み取って新たな走査線を生成する補間器などを備える。
【００２１】
順次走査方式の立体映像信号を発生させる従来の装置は、二つのスケーラ３０２、３０４を備えねばならないので、ディスプレイ装置の構成が複雑であり、製造コストが高くなるという短所がある。
【特許文献１】韓国公開特許１９９９−８０３５１号公報
【特許文献２】韓国公開特許２００２−９６２０３号公報
【特許文献３】特開平９−１４９４３４号公報
【発明の開示】
【発明が解決しようとする課題】
【００２２】
本発明の目的は、立体映像信号を発生させるための装置の構成を単純にし、立体映像信号を発生させるための装置の製造コストを低減できる立体映像信号の発生方法を提供するところにある。
【００２３】
本発明の他の目的は、前記の立体映像信号の発生方法に適した立体映像信号のスケーリング方法を提供するところにある。
【課題を解決するための手段】
【００２４】
前記の目的を達成する本発明による立体映像信号の発生方法は、立体映像のための左眼映像信号及び右眼映像信号を入力する過程と、左眼映像信号及び右眼映像信号を多重化して順次走査方式の立体映像信号を発生させる過程と、前記順次走査方式の立体映像信号をスケーリングアップあるいはダウンを行う過程と、を含むことを特徴とする。
【００２５】
前記の他の目的を達成する本発明による立体映像信号のスケーリング方法は、左眼映像と右眼映像とが多重化された順次走査方式の立体映像信号を入力する過程と、順次走査方式の立体映像信号において、左眼映像信号の走査線を利用して、左眼映像信号に相応する最初の補間走査線を補間し、最初の補間走査線を左眼映像信号の間に挿入し、右眼映像信号の走査線を利用して、右眼映像信号に相応する二番目の補間走査線を補間し、二番目の補間走査線を右眼映像信号の間に挿入し、そして結果として生成された左眼映像信号と結果として生成された右眼映像信号とを多重化することにより、順次走査方式の立体映像信号をスケーリングする過程と、を含むことを特徴とする。
【発明の効果】
【００２６】
本発明による立体映像信号の発生方法は、簡単な構成で順次走査方式の立体映像信号を発生可能にすることによって、立体映像信号の発生装置のコストを低減できる。
【発明を実施するための最良の形態】
【００２７】
本発明の特徴及び長所は、添付された図面を参照する実施形態についての説明から明白になり、さらに容易に理解される。
【００２８】
添付された図面に示される実施形態についての参照が詳細に行われ、ここで類似している参照番号は、類似している構成要素を表す。以下で、実施形態が本発明を説明するために図面を参照して説明される。
【００２９】
本発明の説明において、多重化とは、左眼映像及び右眼映像を交互に合成することを意味し、走査線単位で交互に配置させる場合と画素単位で交互に配置させる場合とを包括する。
【００３０】
また、スケーリングとは、映像信号の走査線数あるいは画素数を変換することを意味し、変換、周波数変換、解像度変換などと呼ばれることもある。
【００３１】
スケーリングには、映像信号の走査線数を変換する垂直スケーリングと、映像信号のカラム数を変換する水平スケーリングとがある。ここで、映像信号のカラム数は、映像信号のある走査方向の画素数をいう。
【００３２】
図５は、本発明の例示的な実施形態による立体映像信号の発生方法を示すフローチャートである。図５の方法は、左眼映像信号の走査線と右眼映像信号の走査線とが交互に配置された順次走査方式の映像信号を発生させるのに適用された例を示すものである。
【００３３】
図５に示した立体映像信号の発生方法は、多重化過程５０２、垂直スケーリング過程５０４、及び水平スケーリング過程５０６を含む。たとい図５が立体映像信号を発生させる方法を示しているとしても、この方法を多重化部、垂直スケーリング部、水平スケーリング部及び立体映像ディスプレイを利用して、立体映像信号を発生させる装置に適用して、多重化過程５０２、垂直スケーリング過程５０４、及び水平スケーリング過程５０６をそれぞれ行うことも可能である。
【００３４】
多重化過程５０２は、３次元のステレオ放送信号、すなわちインターレーシング方式の立体映像信号を入力し、入力されたインターレーシング方式の立体映像信号を多重化して、順次走査方式の立体映像信号を発生させる。
【００３５】
垂直スケーリング過程５０４は、発生した順次走査方式の立体映像信号を垂直的にスケーリングすることにより、順次走査方式の立体映像信号の垂直走査方向のサイズ、すなわち走査線数を変換する。
【００３６】
スケーラは、連続的な偶数番号あるいは奇数番号の走査線の間で補間することにより、順次走査方式の立体映像信号において、新たな走査線が発生するようにスケーリングし、新たな補間された走査線は、連続的な偶数番号あるいは奇数番号の走査線の間に挿入される。
【００３７】
従来の垂直スケーリング方法において、立体映像信号は、隣接した走査線間の類似性を利用してスケーリングされた。したがって、このような従来の垂直スケーリング方法は、順次走査方式の立体映像信号には適用できない。
【００３８】
したがって、従来の垂直スケーリング方法は、順次走査方式の立体映像信号には適用できない。その理由は、順次走査方式の立体映像信号の隣接した走査線のあらゆる対は、従来のインターレーシング方式の映像信号あるいは順次映像信号が有する類似性ではなく、相異なる偏光特性、すなわち左眼映像信号と右眼映像信号とを有する異なる映像信号に属するためである。
【００３９】
図５の垂直スケーリング過程５０４で、順次走査方式の立体映像信号は、連続された偶数番号あるいは奇数番号の走査線間の補間によりスケーリングされる。
【００４０】
順次走査方式の立体映像信号の奇数番目の走査線は、左眼映像信号に相応し、順次走査方式の立体映像信号の偶数番目の走査線は、右眼映像に相応する。したがって、左眼映像信号の隣接した走査線間あるいは右眼映像信号の隣接した走査線間には、高い相関性が存在し、これにより、このような相関性を利用して新たな走査線を形成することが可能である。
【００４１】
本発明の例示的な実施形態によるスケーリング方法は、順次走査方式の立体映像信号において、左眼映像に属する走査線を利用して左眼映像に対する補間ラインを得、右眼映像に属する走査線を利用して右眼映像に対する補間ラインを得、入力された順次走査方式の立体映像信号の走査線と補間により得られた走査線とを多重化することにより、スケーリングされた順次走査方式の立体映像信号を発生させる。
【００４２】
図６は、本発明による垂直スケーリング方法を図式的に示す図である。図６の方法は、左眼映像と右眼映像とが走査線単位で交互に配置された順次走査方式の映像信号に対して適用された例を示すものである。
【００４３】
図６には、４個の走査線を有する順次走査方式の立体映像信号を入力して、６個の走査線を有するスケーリングされた順次走査方式の立体映像信号を発生させることが示される。
【００４４】
図６の左側において、実線６０２、６０６は、左眼映像に相応する走査線であり、点線６０４、６０８は、右眼映像に相応する走査線である。
【００４５】
図６の中央には、左側に示した走査線を利用して新たな走査線を形成するライン補間器が示される。具体的に、互いに隣接した奇数番目の走査線６０２、６０６を補間することにより、左眼映像のための補間走査線を得る。同様に、互いに隣接した偶数番目の走査線６０４、６０８を補間することにより、右眼映像のための補間走査線を得る。
【００４６】
図６の右側には、スケーリングにより得られる順次走査方式の立体映像信号が示される。ここで、左眼補間ライン６１０は、互いに隣接した奇数番目の走査線６０２、６０６を補間することにより得られたものであり、右眼補間ライン６１２は、互いに隣接した偶数番目の走査線６０４、６０８を補間することにより得られたものである。
【００４７】
図６の右側に示すように、入力された順次走査方式の立体映像信号及び補間により得られた補間ライン６１０、６１２は、多重化されて出力される。すなわち、６０２、６０４、６１０、６１２、６０６、６０８の順序に多重化されて出力される。補間走査線６１０、６１２は、それぞれ左眼映像に相応する走査線及び右眼映像に相応する走査線により補間されたものであるため、空間的に高い相関性を有する。
【００４８】
このような過程を、順次走査方式の立体映像信号の垂直方向の走査線に対して順次的、反復的に適用することにより、最終的にディスプレイ解像度に合うように垂直的にスケーリングされた順次走査方式の立体映像信号を得る。
【００４９】
すなわち、順次走査方式の立体映像信号のｎ（ｎは、入力された順次走査方式の立体映像信号の走査線数より小さい整数）個の走査線に対する補間及び多重化過程を、順次走査方式の立体映像信号のあらゆる走査線に対して順次に反復することにより、最終的に垂直的にスケーリングされた順次走査方式の立体映像信号を得る。このようなコア方式を適用することにより、スケーラの規模をさらに減らすことができる。
【００５０】
図６に示した方法において、４個の走査線を入力して６個の走査線を形成することが示されるが、入力走査線の個数及び出力走査線の個数は、スケーリングしようとする解像度によって任意に決定されうるということがよく分かる。また、図６には、二つの走査線を使用して一つの補間ラインを形成することが示されるが、任意個数の走査線を使用して任意個数の補間ラインを形成することも可能であるということがよく分かる。
【００５１】
図６には、左眼映像及び右眼映像が走査線単位で交互に配置された順次走査方式の立体映像信号を垂直的にスケーリングすることが示されている。図６の方法は、図５の垂直スケーリング過程５０４として使われうる。しかし、本発明の実施形態による順次走査方式の立体映像信号の水平的なスケーリング方法も、図６の方法と同様に、左眼映像及び右眼映像が画素単位で交互に配置された順次走査方式の立体映像信号に対しても適用できる。この方法は、図５の水平スケーリング過程５０６として使われうる。
【００５２】
図７は、順次走査方式の立体映像信号の他の例を示す図である。図７に示したような順次走査方式の立体映像信号は、左眼映像及び右眼映像が画素単位で、すなわち水平方向に交互に配置された例である。
【００５３】
図７の順次走査方式の立体映像信号は、右眼映像信号に相応する連続的な偶数番号カラムの画素と左眼映像信号に相応する連続的な奇数番号カラムの画素との間の補間により新たな画素のカラムを生成することにより、水平的にスケーリングされる。
【００５４】
本発明による立体映像信号の発生方法において、順次走査方式の立体映像信号は、左眼映像信号と右眼映像信号とを多重化することにより得られ、スケーラが順次走査方式の立体映像信号をスケーリングするように、スケーラに入力される。
【００５５】
スケーラが、左眼映像信号の走査線及び右眼映像信号の走査線が交互に配置された順次走査方式の立体映像信号を入力するため、スケーラは、順次走査方式の立体映像信号を左眼及び右眼映像信号それぞれの現在の走査線間の新たな走査線を補間し、補間結果を多重化する。
【００５６】
本発明の幾つかの実施形態が図示されて説明されたが、当業者は、それらの実施形態において、発明の原理及び精神、特許請求の範囲に規定された範囲、またそれらの等価物から逸脱せずとも変形があるということを周知せねばならない。
【産業上の利用可能性】
【００５７】
本発明は、立体映像信号の発生装置に適用される。本発明は、簡単な構成でスケーリングされた順次走査方式の立体映像信号を発生可能にすることによって、立体映像信号の発生装置のコストを低減できる。
【図面の簡単な説明】
【００５８】
【図１】従来の偏光多重化方式のディスプレイ装置の構成を示す図である。
【図２】図１に示した従来の立体映像ディスプレイ装置を通じてディスプレイされる順次走査方式の立体映像信号の構成を示す図である。
【図３】図２に示した順次走査方式の立体映像信号を発生させる装置の構成を示す図である。
【図４】図３に示した多重化器の動作を図式的に示す図である。
【図５】本発明による立体映像信号の発生方法を示すフローチャートである。
【図６】本発明による垂直スケーリング方法を図式的に示す図である。
【図７】順次走査方式の立体映像信号の他の例を示す図である。
【符号の説明】
【００５９】
３０２  第１スケーラ
３０４  第２スケーラ
３１６  多重化器
【図１】
2006067596.tif 000003
【図２】
2006067596.tif 000004
【図３】
2006067596.tif 000005
【図４】
2006067596.tif 000006
【図５】
2006067596.tif 000007
【図６】
2006067596.tif 000008
【図７】
2006067596.tif 000009